(57)【要約】【課題】自発光型の画像表示装置において、動画ぼやけの低減とフリッカーの抑制を両立し、高品質な画像表示を行うための技術を提供する。【解決手段】画像表示装置が、アクティブマトリクス駆動される複数の表示素子を有する表示パネルと、入力された画像データを複数のブロックに分割し、各ブロックの輝度特徴値を求める輝度特徴値算出手段と、前記輝度特徴値算出手段で求められた各ブロックの輝度特徴値に基づいて、明るい画像であるほどホールド幅が大きく、暗い画像であるほどホールド幅が小さくなるように、各ブロックのホールド幅を決定するホールド幅決定手段と、前記画像データの各ブロックに対応する前記表示パネルの表示素子を、前記ホールド幅決定手段で決定された各ブロックのホールド幅で駆動することにより、前記画像データに基づく画像を表示させる表示制御手段と、を有する。【選択図】図１
2012181353.tif 000002
【特許請求の範囲】
【請求項１】
画像表示装置であって、
アクティブマトリクス駆動される複数の表示素子を有する表示パネルと、
入力された画像データを複数のブロックに分割し、各ブロックの輝度特徴値を求める輝度特徴値算出手段と、
前記輝度特徴値算出手段で求められた各ブロックの輝度特徴値に基づいて、明るい画像であるほどホールド幅が大きく、暗い画像であるほどホールド幅が小さくなるように、各ブロックのホールド幅を決定するホールド幅決定手段と、
前記画像データの各ブロックに対応する前記表示パネルの表示素子を、前記ホールド幅決定手段で決定された各ブロックのホールド幅で駆動することにより、前記画像データに基づく画像を表示させる表示制御手段と、
を有することを特徴とする画像表示装置。
【請求項２】
前記輝度特徴値はＡＰＬ値であることを特徴とする請求項１に記載の画像表示装置。
【請求項３】
前記輝度特徴値算出手段は、１フレームの画像データにおける輝度特徴値の分布に合わせてブロックの境界を決めることを特徴とする請求項１または２に記載の画像表示装置。
【請求項４】
入力された画像データの各ブロックにおける動き速度を求める速度検出手段をさらに有し、
前記ホールド幅決定手段は、前記輝度特徴値算出手段で求められた各ブロックの輝度特徴値に加え、前記速度検出手段で求められた各ブロックの動き速度に基づいて、動きが遅く且つ明るい画像であるほどホールド幅が大きく、動きが速く且つ暗い画像であるほどホールド幅が小さくなるように、各ブロックのホールド幅を決定するものである
ことを特徴とする請求項１〜３のうちいずれか１項に記載の画像表示装置。
【請求項５】
前記動き速度は、フレームあたりの移動ピクセル数であることを特徴とする請求項４に記載の画像表示装置。
【請求項６】
アクティブマトリクス駆動される複数の表示素子を有する表示パネルを備える画像表示装置の制御方法であって、
入力された画像データを複数のブロックに分割し、各ブロックの輝度特徴値を求める輝度特徴値算出ステップと、
前記輝度特徴値算出ステップで求められた各ブロックの輝度特徴値に基づいて、明るい画像であるほどホールド幅が大きく、暗い画像であるほどホールド幅が小さくなるように、各ブロックのホールド幅を決定するホールド幅決定ステップと、
前記画像データの各ブロックに対応する前記表示パネルの表示素子を、前記ホールド幅決定ステップで決定された各ブロックのホールド幅で駆動することにより、前記画像データに基づく画像を表示させる表示制御ステップと、
を有することを特徴とする画像表示装置の制御方法。
【発明の詳細な説明】
【技術分野】
【０００１】
本発明は、画像表示装置及びその制御方法に関するもので、詳しくは、フリッカー妨害の低減と動画ぼやけの少ない高画質の維持を両立するための技術に関する。
【背景技術】
【０００２】
テレビジョン受像機に代表される動画像の表示装置には、ＣＲＴが長年用いられてきたが、近年では液晶デバイスを用いたパネルが主流となりつつある。図８（Ａ）、図８（Ｂ）を用いて液晶デバイスの特徴を説明する。図８（Ａ）の横軸は時間を、縦軸は画素の明るさを示している。ここでのフレームレート（駆動周波数）は、６０Ｈｚである。この図が示すように、液晶デバイスは６０分の１秒の間発光を持続するため、「ホールド型」のデバイスと呼ばれている。
【０００３】
ホールド型のデバイスは、動きに対し、ぼやけ（残像）を生じやすいという欠点を有している。図８（Ｂ）はその説明図である。図８（Ｂ）の横軸は画面上の位置を、縦軸は時間を示している。この図は矩形の図形が画面の左から右に動く例である。このような動きを眼で追う場合、眼が追従する動きに対して、６０分の１秒の間画素が同じ位置に留まった状態が、動きにする相対的な遅れとなる。ホールド時間が長いと、この遅れの幅が広くなり、画面上では、動画ぼやけとして知覚されることとなる。図８（Ｂ）の一番下の図形は、追従視している時の見え方を示したものであり、破線で示すように、エッジ部分で、ある幅をもったぼやけが検知される。
【０００４】
また、ＣＲＴと同様な発光特性をもつデバイスとして、フィールドエミッションタイプの表示装置の開発も進んでいる。図９（Ａ）は、これらのデバイスの発光特性を説明するための図である。図８（Ａ）と同様、横軸が時間、縦軸が画素の明るさを示している。このタイプの表示装置は、例えば６０分の１秒のうちの一瞬だけ発光するので、「インパルス型」と呼ばれている。図９（Ｂ）は、インパルス型デバイスの動特性を示している。インパルス型デバイスは、ホールド型デバイスのような動画ぼやけ（残像）が発生しないことが特徴である。
【０００５】
しかしながら、インパルス型のデバイスは、６０分の１秒の周期で発光の有無を繰り返すので、この点滅をフリッカーとして知覚しやすいという欠点を有している。フリッカーは面積が大きくなるほど、また輝度が高くなるほど、目立ちやすいという特性があるため、近年の表示装置の大画面化の流れの中では、特に問題となりやすい。
【０００６】
特許文献１では、有機ＥＬディスプレイにおいて動画ぼやけとフリッカーを抑制するため、画面中央部では発光デューティを小さくして動画ぼやけを低減し、明暗を検知しやすい周辺部ではデューティを大きくしてフリッカーを低減する方法が開示されている。また特許文献２では、有機ＥＬディスプレイにおいて、動画速度に応じて発光デューティを制御することにより動画ぼやけを抑制する方法が開示されている。
【先行技術文献】
【特許文献】
【０００７】
【特許文献１】特開２００７−１２７９１８号公報
【特許文献２】特開２００６−２１５１４１号公報
【発明の概要】
【発明が解決しようとする課題】
【０００８】
アクティブマトリクス駆動される自発光型の表示装置の場合、上記のように発光デューティ（発光期間又はホールド期間ともよぶ）を制御することで、動画ぼやけを低減したり、フリッカーを抑制したりすることができる。しかしながら、動画ぼやけの低減とフリッカーの抑制はトレードオフの関係にあり、それらを同時満足することは難しい。特許文献１では、画面中央部で動画ぼやけ低減を優先し、周辺部でフリッカー抑制を優先するという方法を採用しているが、例えば中央部に明るい物体が存在し、周辺部に動きの速い物体が存在するような映像では、フリッカーも動画ぼやけも目立つ結果となる。すなわち、従来は、どのような映像に対しても動画ぼやけとフリッカーの両方を低減することのできる好適な方法は存在しなかった。
【０００９】
本発明は上記実情に鑑みてなされたものであり、自発光型の画像表示装置において、動画ぼやけの低減とフリッカーの抑制を両立し、高品質な画像表示を行うための技術を提供することを目的とする。
【課題を解決するための手段】
【００１０】
本発明の第１態様は、画像表示装置であって、アクティブマトリクス駆動される複数の表示素子を有する表示パネルと、入力された画像データを複数のブロックに分割し、各ブロックの輝度特徴値を求める輝度特徴値算出手段と、前記輝度特徴値算出手段で求められた各ブロックの輝度特徴値に基づいて、明るい画像であるほどホールド幅が大きく、暗い画像であるほどホールド幅が小さくなるように、各ブロックのホールド幅を決定するホールド幅決定手段と、前記画像データの各ブロックに対応する前記表示パネルの表示素子を、前記ホールド幅決定手段で決定された各ブロックのホールド幅で駆動することにより、前記画像データに基づく画像を表示させる表示制御手段と、を有する画像表示装置を提供する。
【００１１】
本発明の第２態様は、アクティブマトリクス駆動される複数の表示素子を有する表示パネルを備える画像表示装置の制御方法であって、入力された画像データを複数のブロックに分割し、各ブロックの輝度特徴値を求める輝度特徴値算出ステップと、前記輝度特徴値算出ステップで求められた各ブロックの輝度特徴値に基づいて、明るい画像であるほどホールド幅が大きく、暗い画像であるほどホールド幅が小さくなるように、各ブロックのホールド幅を決定するホールド幅決定ステップと、前記画像データの各ブロックに対応する前記表示パネルの表示素子を、前記ホールド幅決定ステップで決定された各ブロックのホールド幅で駆動することにより、前記画像データに基づく画像を表示させる表示制御ステップと、を有する画像表示装置の制御方法を提供する。
【発明の効果】
【００１２】
本発明によれば、自発光型の画像表示装置において、動画ぼやけの低減とフリッカーの抑制を両立し、高品質な画像表示を行うことができる。
【図面の簡単な説明】
【００１３】
【図１】第１の実施形態の画像表示装置のブロック図。
【図２】第１の実施形態のホールド幅の制御を説明する図。
【図３】表示画像と各ブロックのホールド幅の一例を示す図。
【図４】第２の実施形態の画像表示装置のブロック図。
【図５】第２の実施形態のホールド幅の制御を説明するための図。
【図６】表示画像の種類、動き速度、ホールド幅の関係を示す表。
【図７】第２の実施形態のホールド幅の制御の変形例を説明する図。
【図８】従来のホールド型デバイスの特性を説明するための図。
【図９】従来のインパルス型デバイスの特性を説明するための図。
【発明を実施するための形態】
【００１４】
本発明は、複数の自発光型の表示素子をアクティブマトリクス駆動する方式の画像表示装置において、表示する画像に応じて動画ぼやけとフリッカーを適応的に抑制する技術に関する。ここで自発光型の表示素子としては、例えば、有機発光ダイオード（ＯＬＥＤ）、電子放出素子（冷陰極素子）と蛍光体からなる発光素子などがある。ＯＬＥＤを表示素子として用いる表示装置は有機ＥＬディスプレイとよばれ、電子放出素子と蛍光体からなる発光素子を表示素子として用いる表示装置はフィールドエミッションディスプレイとよばれる。
【００１５】
［第１の実施形態］
以下、本発明の第１の実施形態について説明する。第１の実施形態では、画像を複数のブロック（領域）に分割し、各ブロックの部分的な輝度特徴値（本例ではＡＰＬ値）を検出し、その輝度特徴値に応じてブロック毎のホールド幅を適応的に決定するという構成を採用する。
【００１６】
図１は、本発明の第１の実施形態に係る画像表示装置の構成を示すブロック図である。図２は、第１の実施形態におけるホールド幅の制御を説明するための図である。
図１において、画像表示装置は、画像メモリ１０１、駆動ホールド幅決定回路（ホールド幅決定手段）１０４、表示制御回路（表示制御手段）１０５、表示パネル１０６、フリッカー量検出回路（輝度特徴値算出手段）１０７を備えている。
【００１７】
画像信号１００として入力される１フレーム分の画像データは画像メモリ１０１に一時的に記憶される。フリッカー量検出回路１０７は、画像メモリ１０１から１フレーム分の画像データを受け取り、その画像データを複数のブロックに分割する。本実施形態では、上段、中段、下段の３つのブロックに画像が分けられる。そしてフリッカー量検出回路１０７は、各ブロックの部分画像から、ブロックごとに輝度の平均であるＡＰＬ（Average Picture Level）値を算出する。ブロックごとのＡＰＬ値は駆動ホールド幅決定回路１０
４に入力される。
【００１８】
駆動ホールド幅決定回路１０４は、ＡＰＬ値に基づいて、ブロックごとの駆動ホールド幅（ホールド幅、発光デューティ、又は発光期間ともよぶ）を決定する。表示制御回路１０５は、決定された駆動ホールド幅で、各ブロックに対応する表示パネル１０６上の表示素子を駆動することで、画像信号１００に基づく画像表示を行う。
【００１９】
続いて、図面を用いて具体的な駆動方法について説明をする。図２（Ａ）は、ＡＰＬ値と駆動ホールド幅の対応関係を示すテーブルの例である。横軸がＡＰＬ値であり、縦軸が駆動ホールド幅である。なおＡＰＬ値は０〜１．０の範囲に正規化されている。図２（Ｂ）は、それぞれのＡＰＬ値に対応する駆動ホールド幅と輝度を模式的に示している。駆動周波数は６０Ｈｚの例である。
【００２０】
一般的に、画像が明るいほどフリッカーが目立ち、画像が暗いほどフリッカーが目立ちにくい傾向がある。そこで、ＡＰＬ値が大きいほどホールド幅を大きくしてフリッカー抑制効果を強くし、逆にＡＰＬ値が小さいほどホールド幅を小さくして動画ぼやけ低減効果を強くする。具体的に本実施形態では、ＡＰＬ値が閾値ＴＨ２より大きく、画像がフル階調の白表示に近い場合には、ホールド幅が最大となるようにし、ＡＰＬ値が閾値ＴＨ１より小さく、画像が黒表示に近い場合には、ホールド幅が最小となるようにする。ＴＨ１＜ＴＨ２である。ＡＰＬ値がＴＨ１とＴＨ２の間の値である場合は、ＡＰＬ値に比例してホールド幅を変化させる。
【００２１】
人の眼が検知する表示画像の明るさは、表示素子の発光輝度と発光時間の積にほぼ比例
する。それゆえ、ブロックごとに単純にホールド幅（発光時間）を異ならせると、ホールド幅の小さいブロックほど暗く見えてしまい、画像の明るさに面内ばらつきが生じる。そこで、図２（Ｂ）に示すように、ホールド幅に応じて輝度を調整するとよい。すなわち、ホールド幅が大きいほど輝度を小さく（ホールド幅が小さいほど輝度を大きく）して、ブロック間で明るさのばらつきが生じないようにするとよい。
【００２２】
図３は、表示パネル１０６に表示される画像と各ブロックのホールド幅の一例を示している。上段のブロックＡの画像は暗い背景の中に明るい動く物体３０が存在する画像であり、中段のブロックＢの画像は白い背景の中に暗い動く物体３１が存在する画像であり、下段のブロックＣは白い背景のみの画像である。ＡＰＬ値は、ブロックＡが最も小さく、ブロックＣが最も大きい。図３に示すように、ＡＰＬ値が小さいブロックＡでは、小さいホールド幅が選択され、インパルス型デバイスに近い駆動が行われる。したがって、ブロックＡ内の動く物体に関しては動画ぼやけの発生を低減できる。また、ブロックＡの画像は暗いため、ホールド幅を小さくしてもフリッカーの問題が生じることはない。ＡＰＬ値が大きいブロックＣでは、大きいホールド幅が選択され、ホールド型デバイスに近い駆動が行われる。これにより、明るい画像であるブロックＣにおいて、フリッカーの発生を抑制することができる。また、中間の画像特性をもつブロックＢにおいては、中間のホールド幅が選択され、フリッカーの抑制と動画ぼやけの低減の両方の効果を得ている。
【００２３】
ホールド幅を可変にする駆動方法としてはどのような方法を用いてもよい。例えば、フルＨＤの表示パネル（１０８０ライン）を３ブロックに等分した場合、１ブロックには３６０ラインが含まれる。１／６０秒の３分の１の時間、すなわち１／１８０秒をこのブロックの駆動期間に割り当てるとすると、１ラインずつ順次発光させた場合は、各ラインのホールド幅は約０．０１５ｍｓｅｃとなり、１０ラインずつ発光させた場合は、約０．１５ｍｓｅｃとなる。このようにライン順次駆動における発光ライン数を変えることでホールド幅を変えることができる。ただしこの方法に限らず、いわゆる黒挿入のようにブロック全体のラインの発光／消灯をホールド幅（発光デューティ）に従って一斉に切り替えてもよいし、ラインごと又はエリアごとに任意のタイミングで発光を開始するようにしてもよい。
【００２４】
以上述べたように、本実施形態の駆動方法によれば、ブロックごとの輝度特徴値に応じてブロックごとにホールド幅を決定したことで、自発光型の画像表示装置において、動画ぼやけの低減とフリッカーの抑制を両立し、高品質な画像表示を行うことができる。
また、明るい画像を表示するには大きい駆動電力が必要となるが、本実施形態では、明るい画像にパルス幅が広く波高値が小さい駆動波形を用いるため、パルス幅が狭く波高値が大きいピーク状の駆動波形を用いた場合に比べて消費電力の低減を図ることができる。
【００２５】
なお、本実施形態では３つのブロックに分割したが、２つのブロックや４つ以上のブロックに分割してもよい。またラインごとにホールド幅を可変することもできる。また上下の分割だけでなく、左右に分割したり、タイル状に（上下左右に）分割したりすることも可能である。またブロックの形状も矩形に限らず、任意に設定してよい。
【００２６】
また、ブロックのサイズ（縦幅、横幅など）は固定でもよいし、可変でもよい。可変にする場合は、１つの画像内の輝度特徴値の分布に合わせてブロックの境界を決めるとよい。例えば、ラインごと（又はエリアごと）に輝度特徴値を求め、公知のクラスタリング手法により、同じような輝度特徴値をもつ複数のライン（又は複数のエリア）をグルーピングすることで、ブロック境界を決めることができる。このような方法によれば、画像の中の明るい部分と暗い部分の分布に合わせて適切なブロックサイズ及びブロック境界が設定されるため、動画ぼやけの低減とフリッカーの抑制の効果をより高めることができる。
【００２７】
また、ＡＰＬ値とホールド幅の対応関係は図２（Ａ）のものに限られない。例えば、閾値ＴＨ１、ＴＨ２は、０≦ＴＨ１＜ＴＨ２≦１．０を満たせば、どのような値に設定してもよい。また閾値を１つだけ設け、ＡＰＬ値が閾値以下の場合は小さいホールド幅、ＡＰＬ値が閾値より大きい場合は大きいホールド幅というように二段階に切り替える構成でもよい。またＴＨ１とＴＨ２の間では、ホールド幅を線形ではなく、非線形に変化させてもよい。
【００２８】
［第２の実施形態］
以下、本発明の第２の実施形態について説明する。第２の実施形態では、画像を複数のブロックに分割し、各ブロックの輝度特徴値と動き速度を検出し、その輝度特徴値と動き速度に応じてブロック毎のホールド幅を適応的に決定するという構成を採用する。
【００２９】
図４は、本発明の第２の実施形態に係る画像表示装置の構成を示すブロック図である。図４において、第１の実施形態の構成（図１）と同じ機能ブロックには同一の符号が付されている。すなわち、第２の実施形態の画像表示装置は、動画速度検出回路（速度検出手段）１０８を備える点が特徴である。
動画速度検出回路１０８は、画像メモリ１０１から２フレーム分の画像データを受け取り、各ブロックの部分画像における動き速度を検出する。ここでは、ブロックマッチングなどの公知の手法によりフレーム間の動きベクトルを求め、１つのブロック内での最大の動きベクトルをそのブロックの動き速度（フレームあたりの画像の移動ピクセル数（pixel per frame（以下ｐｐｆと記す））とする。ブロック毎のｐｐｆ値は駆動ホールド幅決
定回路１０４に入力される。
【００３０】
続いて、図面を用いて具体的な駆動方法について説明をする。図５は、ＡＰＬ値と動き速度と駆動ホールド幅の対応関係を示すテーブルの例である。横軸がＡＰＬ値であり、縦軸が駆動ホールド幅である。なおＡＰＬ値は０〜１．０の範囲に正規化されている。
【００３１】
図５において「（動画）」と記載したグラフは、第１の実施形態のものと同じである。すなわち、ＡＰＬ値が大きいほどホールド幅を大きくしてフリッカー抑制効果を強くし、逆にＡＰＬ値が小さいほどホールド幅を小さくして動画ぼやけ低減効果を強くしたものである。一方、図５において「（静止画：０ｐｐｆ）」と記載したグラフは、写真画像のような動きのない静止画を表している。このような静止画の場合は、動画ぼやけは元々問題とならないため、ＡＰＬ値に関係なくホールド幅最大の駆動を行う。すなわち、静止画表示の場合は、パルス幅が広く且つ波高値の小さい駆動波形が用いられるため、図５の動画や高速動画に比べて、効率の良い（消費電力の小さい）駆動が可能となる。また、本発明者による知見によると、ある程度速い動画（３２ｐｐｆ超）に対しては、フリッカーよりも動画ぼやけの方が気になるためＡＰＬ値に関係なく、動画応答性にすぐれたホールド幅の狭い駆動とする。
【００３２】
更に詳細に動画ぼやけに関する説明をする。例えば、本発明者の知見によると、図６の表に示すように、動き速度に対して、動画ぼやけのないホールド幅が規定される。なお図６の表は、ＴＶモニタがフルＨＤ（有効画素数１９２０本×１０８０本）で６０Ｐ（駆動周波数６０Ｈｚ）の場合の例を示している。
【００３３】
まず、動画の速度は、表示画像の種類により大きく異なる。表示画像の種類により画面の一端から他端に移動するのに要する時間が異なり、それは、例えば１フレームあたりのピクセル数（ｐｐｆ値）で表される。例えば、静止画では、画像は動かないため０ｐｐｆであり、ゆっくりパンする風景画などでは、一端から他端まで約８秒掛かる。各表示画像の動き速度は、以下の式で表せる。
【００３４】
風景画：４（ｐｐｆ）＝水平解像度１９２０（本）／（６０（Ｈｚ）×約８（秒））
ドラマ：８（ｐｐｆ）＝水平解像度１９２０（本）／（６０（Ｈｚ）×約４（秒））
スポーツ：１６（ｐｐｆ）＝水平解像度１９２０（本）／（６０（Ｈｚ）×約２（秒））
ゲーム・テロップ：３２（ｐｐｆ）＝水平解像度１９２０（本）／（６０（Ｈｚ）×約１（秒））
高速動画像：６４（ｐｐｆ）＝水平解像度１９２０（本）／（６０（Ｈｚ）×約０．５（秒））
【００３５】
前記の動き速度に対する動画ぼやけについて、本発明者らが評価した結果は、以下のとおりである。なお、駆動周波数が６０Ｈｚ、すなわち、１フレーム周期が１／６０（秒）＝１６．７ｍｓの場合を考えている。静止画に関しては、動画ぼやけのないホールド幅は１６．７ｍｓとなり、完全なホールド幅の駆動（以後ホールド率１と表記する）の駆動も可能であった。４ｐｐｆの風景画では、動画ぼやけのないホールド幅は、８．４ｍｓ（ホールド率０．５）以下のホールド幅となる。ドラマなどでは、４．２ｍｓ（ホールド率０．２５）以下、スポーツなどでは、２．１ｍｓ（ホールド率０．１２）以下、ゲーム・テロップなどでは、１．１ｍｓ（ホールド率０．０６）以下となる。更に高速な動画などでは、０．５ｍｓ（ホールド率０．０３）以下のホールド幅となる。
【００３６】
図７を用いて、図６の評価結果を考慮したＡＰＬ値および動画速度と駆動波形のホールド幅の制御方法の一例について説明をする。写真画像などの動きの無い静止画（０ｐｐｆ）においては、ＡＰＬ値に関係なくホールド幅最大（ホールド率１）の駆動を行う。風景画など４ｐｐｆの動画に関しては、動画ぼやけの目立たないホールド率は０．５である。ここでは、ＡＰＬ値が０の場合にホールド率を０．５とし、ＡＰＬ値が大きくなるにしたがってホールド率を増している。同様に、ドラマなど８ｐｐｆの動画に関しては、ＡＰＬ値が０の場合にホールド率を０．２５とし、ＡＰＬ値が大きくなるにしたがってホールド率を増している。スポーツなど１６ｐｐｆの動画に関しては、ＡＰＬ値が０〜ＴＨ１の場合にホールド率を０．１２５とし、ＡＰＬ値がＴＨ１より大きくなるとホールド率を増している。ゲーム・テロップなど３２ｐｐｆの動画に関しては、ＡＰＬ値が０〜ＴＨ２の場合にホールド率を０．０６とし、ＡＰＬ値がＴＨ２より大きくなるとホールド率を増している。６４ｐｐｆの高速動画に関しては、ＡＰＬ値に関係なく、ホールド率を０．０３で固定している。
【００３７】
以上述べたように、本実施形態の駆動方法によれば、ブロックごとの輝度特徴値と動き速度に応じてブロックごとにホールド幅を決定したことで、動画ぼやけの低減とフリッカーの抑制を両立し、高品質な画像表示を行うことができる。特に本実施形態では、動きの速いブロック、つまり動画ぼやけが問題となりやすいブロックほど、ホールド幅が小さく制御されるため、動画ぼやけの低減を確実に図ることができる。
【００３８】
なお、ブロックの数、サイズ、形状、分割の方向などは、第１の実施形態と同様、任意に設定することができる。また、第１の実施形態でも述べたように、ラインごと（又はエリアごと）に輝度特徴値を求め、公知のクラスタリング手法により、同じような輝度特徴値をもつ複数のライン（又は複数のエリア）をグルーピングすることで、ブロック分割を行うこともできる。
【００３９】
また、ＡＰＬ値と動き速度とホールド幅の対応関係は図５や図７のものに限られない。例えば、ホールド幅をＡＰＬ値に対して非線形に変化させてもよい。また、０ｐｐｆ、４ｐｐｆ、８ｐｐｆ・・・のように動き速度を離散的に設定するのではなく、任意の動き速度に対してホールド幅を求められるようにしてもよい。これは任意の動き速度に関するテーブルをもたせることでも実現できるし、離散的な動き速度のテーブルを補間することで
も実現できる。また、第２の実施形態では、動きベクトル検出によりブロックごとの動き速度を求めたが、入力画像信号のコンテンツの種類（カテゴリ）の情報が取得できる場合には、図６のような画像と動き速度の対応テーブルを参照して、動き速度の情報を得ることも好ましい。
【００４０】
また、上述した各実施形態では輝度特徴値としてＡＰＬ値を用いたが、画像の明るさ又は暗さを示す指標であればどのような特徴値を用いてもよい。例えば、輝度の最大値、最小値、最頻値などを利用できる。
【符号の説明】
【００４１】
１００：画像信号、１０４：駆動ホールド幅決定回路、１０５：表示制御回路、１０６：表示パネル、１０７：フリッカー量検出回路、１０８：動画速度検出回路
【図１】
2012181353.tif 000003
【図２】
2012181353.tif 000004
【図３】
2012181353.tif 000005
【図４】
2012181353.tif 000006
【図５】
2012181353.tif 000007
【図６】
2012181353.tif 000008
【図７】
2012181353.tif 000009
【図８】
2012181353.tif 000010
【図９】
2012181353.tif 000011